Podtech/llm-jp-corpus-v4-ja_patent huggingface dataset:
(57)【要約】      （修正有）【課題】内外装モザイクタイル４５角４５二丁タイルに、役物を使用せず、平面タイルのみで施工して、外観的にも機能的にも損傷のない施工仕上げが出来る。【解決手段】タイルの巾４５ｍｍを角面曲りに４５度カットする。型枠直角点７より３２ｍｍ目の直角点より左右を２辺を結ぶ４５度二等辺三角形で、その長さ４５ｍｍとする。型枠を外し４５ｍｍ巾の下地に４５角４５二丁タイル平面を張付施工する。平面５ｍｍ目地を付合わせ施工すると曲り面に５ｍｍ目地が生じ違和感の無い仕上がりで施工完成する。【選択図】図４
0003135636.tif 000002
【実用新案登録請求の範囲】
【請求項１】
内外装モザイクタイル・４５角・４５二丁・の角面に役物を不用とした目的で、下地ナマコン打込み時、型枠角隅に４５ｍｍ巾の２等辺三角形をした木材及び樹脂鉄材で作ったガ−ド定規。
【考案の詳細な説明】
【考案の詳細な説明】
【技術分野】
【０００１】  本考案は内外装モザイクタイル４５角４５二丁タイルに、役物を使用せず、平面タイルのみで施工して、外観的にも機能的にも損傷のない施工仕上げが出来るを目的したもの。
【背景技術】
【０００２】  従来内外装モザイクタイルは、工場で成型する役物曲り・マグサと、平物からカットして樹脂接着した役物かの、２通りで施工完工されています。
【考案の開示】
【考案が解決しようとする課題】
【０００３】  本考案は成型役物・接着役物とも一長一短があり、成型役物はコストが高く平物の８倍の単価に成ります。製造ラインで平物と同時生産が出来ず、そこから生じる色ムラトラブルが発生する。接着役物は平物で制作するので、色ムラは解消しますが、ピン角で刃物状態と成り危険度が増し、強度的にも難点が有ります。
【課題を解決する為の手段】
【０００４】  本考案は役物を使用せず、平物で施工完工をするもので、図２−４  生産コスト面及び工事施工面で大巾なコストダウンが計られます。
成型役物のコスト高・色ムラの解消及び接着役物の、ピン角の危険も無く強度的難点も解消されます。タイルの巾４５ｍｍを  図２−５  角面曲りに４５度カットする。型枠  図４−３  直角点より３２ｍｍ  図４−７  直角点より左右を２辺を結ぶ４５度二等辺三角形で、その長さ４５ｍｍ図４−２ｂとする。
型枠を外し４５ｍｍ巾の下地に４５角４５二丁タイル平面を張付施工する。図２−４  平面５ｍｍ目地を付合わせ施工すると図２−６  曲り面に５ｍｍ目地が生じ違和感の無い仕上がりで施工完成する。図２
【考案を実施するための最良の形態】
【０００５】  本考案の趣旨で市場調査をした結果、理屈では理解出来得る設計士及び施工者は多く、人集まりの多い公共物及びマンションの建造物には、環境にやさしくコストダウンにもつながる物で好評ですが、今まで型枠業者で簡単に仕組める物体が無く、型枠業者が個々に製作するにはコスト面で困難が在り、市場化しませんでした。  本考案は木材で大量生産することに成功し、容易に型枠仕組み時に取付けが出来ることで市場化すると思われます。
【図面の簡単な説明】
【図１】  本案の横断面図
【図２】  本案のタイル施工図
【図３】  本案の斜視図
【図４】  本案のナマコン型枠取付図
【符号の説明】
１．は本案の横断面実寸図
２．は型枠面寸法図
３．はナマコン型枠図
４．は４５二丁タイル施工図
５．はタイルの巾
６．はタイル目地
７．は型枠直角点
【図１】
0003135636.tif 000003
【図２】
0003135636.tif 000004
【図３】
0003135636.tif 000005
【図４】
0003135636.tif 000006
【手続補正書】
【提出日】平成19年4月3日(2007.4.3)
【手続補正１】
【補正対象書類名】実用新案登録請求の範囲
【補正対象項目名】全文
【補正方法】変更
【補正の内容】
【実用新案登録請求の範囲】
【請求項１】
内外装モザイクタイル  ４５角  及び  ４５二丁の角面に役物を不用とした目的で、下地ナマコン打込み時、型枠  角隅に４５ｍｍ巾の２等辺三角形をした木材、樹脂材及び金属類で作ったガード定規
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
内外装モザイクタイル４５角及び４５二丁の角面に役物を不用とした目的で、下地ナマコン打込み時、型枠角隅に２等辺三角形直角点より左方に３２ｍｍ直角点より右方に３２ｍｍの２等辺を結ぶ４５ｍｍ辺巾の２等辺三角形で長さ１０００ｍｍ以上をした木材、樹脂材及び金属類で作ったガ−ド定規
(57)【要約】【課題】本考案は  スチール製のラックにゴミ分別袋を収納し、壁に掛けることにより袋が乱雑になることを、防止するものである。【解決手段】本考案は  スチール製の外枠１と４のゴミ袋を提げるバーとで成り立ち、５本のバーにそれぞれゴミ袋を提げて収納し、普段は２のフックにバーを掛けて使用する。袋を補充するときは２のフックから４のバーを外して行う。この本体収納ラックに布製のカバーを掛けて壁に掛けることにより、多種のゴミ袋の乱雑を解消できるものである。【選択図】図１
0003135649.tif 000002
【実用新案登録請求の範囲】
【請求項１】
各種  各色のゴミ分別袋を種類別に提げ、狭いスペースの壁に掛けることにより、乱雑にならないし、ゴミ袋を提げるバーを上下させることにより、袋の取り出しや補充が楽にできるのを特徴としたラックである。
【請求項２】
ラック本体にカバーを掛けることにより、袋を取り出しやすくしたことと、いろいろな布の柄により、見た目を見栄えよくしたものである。
【考案の詳細な説明】
【技術分野】
【０００１】  本考案は、家庭用のゴミ分別袋をすっきり収納し、かつ  楽に取り出すことができるラックに関するものである。
【背景技術】
【０００２】  ゴミの分別の仕方が多種多様になった昨今、それに伴い、袋の数や種類も多くなった。そうなると、袋を買ってきても、外袋から取り出した後は乱雑になり、収納に困って考えたものです。
【考案の開示】
【考案が解決しようとする課題】
【０００３】  ゴミ袋はだいたい１０枚単位で袋に入って売られており、それを外袋から取り出した後は、バラバラごちゃごちゃ乱雑になる。それが何種類もあるため、必要なときすぐに取り出すことができないので、それを解決しようとするものである。
【課題を解決するための手段】
【０００４】  各種  各色のゴミ分別袋を種類別に提げ、狭いスペースの壁にかけることにより、すっきりと収納することができる。また、その本体に布製のカバーをかけることにより、ゴミ袋を取り出す際に、取り出したい一枚が確実に取りだせる。２枚も一緒についてくるということがない。
【考案の効果】
【０００５】  上述のように  本考案の収納ラックがあることにより、忙しい主婦が、必用なとき必用な種類のゴミ袋をすぐに取り出せ、ほかの袋に影響しない。かつ  補充するときも買ってきて外袋から取り出したらラックのバーに掛けておけば、乱雑にならない。また、カバーをかけることにより、ゴミ袋が隠れるばかりでなく、色や柄を変えることにより部屋の雰囲気もかわる。
【考案を実施するための最良の形態】
【０００６】  ゴミ袋の種類が地域により異なるようですので、ここでは、５種類用のラックの形態で説明する。
ラック本体はすべて直径４ｍｍのスチール製で作成する。後にさび止めのコーテイングをする。縦１５ｃｍ横５０ｃｍ高さ６ｃｍの枠組みと  袋をぶら下げるための長さ５１ｃｍのバーが５本とで構成する。枠の縦１５ｃｍの辺にバーの端を折り曲げ、そのバーが辺１５ｃｍを支点として上下作動できるように取り付ける。
相対する辺にはフックを５個固定し、バーのもう一方の端を掛け外し可能にする。
布を縫製してカバーを作るが、その上部にはゴミ袋の取り出し口を、縦１１ｃｍ幅１０ｃｍの寸法で開ける。
出来上がり寸法は縦１６ｃｍ横５１ｃｍ高さ２０ｃｍとし、４箇所にひもかマジックテープをつけて、本体のラックに取り付ける。
【実用例】
【０００７】  以下  添付図に従って実施例を説明する。１は収納ラック本体で補強部分も同素材である。２は外枠縦の左部分。［図４］のようにバーの端を輪にして取り付ける。３は２の相対する外枠縦の右部分。［図５］のようにフックを固定し、バーを掛け外しできるようにする。４は外枠の強度をさらに増すために、ゴミ袋を提げるのにじゃまにならないようにつける。
５はゴミ袋を掛けるバーで、２から３まで渡せる長さにし、中央３０ｃｍには、スポンジかゴム製の滑り止めを薄く貼り付ける。６は本体を壁に取り付けるためのフックである。２個は上向き、２個は下向きにしゴミ袋を取り出すときの力に耐え得るようにする。
【０００８】  ７は布カバーで［図７］のように縫製し、８のようにひもかマジックテープをつける。９はゴミ袋の取り出し口である。
【０００９】  本考案の一実施例は上述の構成からなるものであるが、ゴミ袋の数や種類により４の本数を増減し、それに伴い外枠の縦の寸法を変えて、作成できるものである。
【図面の簡単な説明】
【００１０】
【図１】  本考案のラック本体の立体図である。
【図２】  本考案のラック本体の上面図である。
【図３】  ゴミ袋を提げるバーの形状図である。
【図４】  ゴミ袋を提げるバーを外枠に取り付けた状態の図である。
【図５】  バーを掛け外しするためのフックの形状図である。
【図６】  壁にラック本体を粘着性フックで取り付けた状態の図である。
【図７】  布カバーの形状図である。
【符号の説明】
【００１１】      １  収納ラック全部分でスチール製
２  収納ラック外枠の縦左部分
３  収納ラック外枠の縦右部分
４  収納ラックの補強部分
５  ゴミ袋を掛けるバー
６  粘着性フック
７  布製カバー
８  ラック本体にカバーを取り付けるためのひも
９  ゴミ袋の取り出し口
【図１】
0003135649.tif 000003
【図２】
0003135649.tif 000004
【図３】
0003135649.tif 000005
【図４】
0003135649.tif 000006
【図５】
0003135649.tif 000007
【図６】
0003135649.tif 000008
【図７】
0003135649.tif 000009
【手続補正書】
【提出日】平成19年6月26日(2007.6.26)
【手続補正１】
【補正対象書類名】実用新案登録請求の範囲
【補正対象項目名】全文
【補正方法】変更
【補正の内容】
【実用新案登録請求の範囲】
【請求項１】
各種  各色のゴミ分別袋を種類別に提げ、狭いスペースの壁に掛けることにより、乱雑にならないし、ゴミ袋を提げるバーを上下させることにより、袋の取り出しや補充が楽にできるのを特徴としたラック。
【請求項２】
ラック本体にカバーを掛けることにより、袋を取り出しやすくしたことと、いろいろな布の柄により、見た目を見栄えよくしたことを特徴とする請求項１記載のラック。
【手続補正２】
【補正対象書類名】明細書
【補正対象項目名】０００６
【補正方法】変更
【補正の内容】
【０００６】  ゴミ袋の種類が地域により異なるようですので、ここでは、５種類用のラックの形態で説明する。
ラック本体はすべて直径４ｍｍのスチール製で作成する。後にさび止めのコーテイングをする。縦１５ｃｍ横５０ｃｍ高さ６ｃｍの枠組みと  袋をぶら下げるための長さ５１ｃｍのバーが５本とで構成する。枠の縦１５ｃｍの辺にバーの端を折り曲げ、そのバーが辺１５ｃｍを支点として上下作動できるように取り付ける。相対する辺にはフックを５個固定し、バーのもう１方の端を掛け外し可能にする。
布を縫製してカバーを作るが、その上部にはゴミ袋の取り出し口を、縦１１ｃｍ幅１０ｃｍの寸法で開ける。出来上がり寸法は縦１６ｃｍ横５１ｃｍ高さ２０ｃｍとし、４箇所にひもかマジックテープ（登録商標）をつけて、本体のラックに取り付ける。
(57)【要約】      （修正有）【課題】常時腹部を圧迫した状態でなくても、腹部の一時的な凹みに対応できることを可能にしたズボンのずり落ち防止用補助器具の提供。【解決手段】ズボン押さえ部１−１と滑り止めがズボンと接する面に加工された本体中心部１−２および本体中心部と一体となり、同じく腹部側表面に滑り止め加工した腹部密着用のバネ部１−３、ならびに同じく表面に滑り止め加工したバネ部１−４、ならびにバネ部１−４と本体中心部１−２を連結させるためのかしめ止め用穴２−１を利用して、バネ部１−４と本体中心部１−２がかしめ止めされ一体化することで構成される。ズボン押さえ部１−１と表面に滑り止め加工された本体中心部１−２の隙間にズボンの前面上部を挿入することで本体がズボンと密着固定した状態となる。【選択図】図１
0003135648.tif 000002
【実用新案登録請求の範囲】
【請求項１】
ズボンの押さえ部１−１と滑り止めがズボンと接する面に加工された本体中心部１−２により、バネの力と滑り止め加工によりズボンと密着している本体中心部１−２と連続しているバネ部１−３の腹部側表面に滑り止め加工された部分が、腹部の一時的な凹みに合わせてバネ部１−３と連続しているバネ部１−４の腹部側への広がり作用と連動して腹部の凹みとともに腹部へ動き、常に腹部にバネ部１−３の滑り止め部分が密着することでズボンのずり落ちを防止することを可能にしたズボンのずり落ち防止用器具。
【考案の詳細な説明】
【産業上の利用分野】
【０００１】  本発明は腹部の一時的な凹みがあってもズボンがずり落ちしないズボンずり落ち防止用器具に関するものである。
【背景技術】
【０００２】  従来のズボンずり落ち防止用補助器具として一般的なものは、ズボンのベルト位置の裏側の布地に滑り止めを貼り付ける方式があるが、この方式ではいつも腹部がベルトなどで圧迫され、滑り止めと腹部が密着している必要があるが、息を吸ったり、吐いたりしたときに腹部が一時的に凹み、その際に滑り止めと腹部が離れることで滑り止めの効果が無くなり、ズボンがずり落ちてしまうこととになる。
このような腹部の一時的な凹みに対応したズボンのずり落ち防止用器具としては、ゴム付きのベルトまたはゴム付きのズボンなどがあるが、いずれも常に腹部を圧迫していることになり使用上肉体的な苦痛を伴うものである。
【考案が解決しようとする課題】
【０００３】  本発明は常時腹部を圧迫した状態でなくても、腹部の一時的な凹みに対応できることを可能にしたズボンのずり落ち防止用器具である。
【課題を解決するための手段】
【０００４】  本発明は、ズボン押さえ部１−１と滑り止めがズボンと接する面に加工された本体中心部１−２および本体中心部と一体となり同じく腹部側表面に滑り止め加工した腹部密着用のバネ部１−３ならびに同じく表面に滑り止め加工したバネ部１−４ならびにバネ部１−４と本体中心部１−２を連結させるためのかしめ用穴２−１を利用してバネ部１−４と本体中心部１−２がかしめ止めされ一体化することで構成される。
ズボン押さえ部１−１と滑り止めがズボンと接する面に加工された本体中心部１−２との隙間にズボンの前面上部を挿入することで本体がズボンと密着固定した状態となる。この状態でズボンを穿き、ベルトを装着すると、バネ部１−３およびバネ部１−４は腹部とベルトの圧迫により互いの間隔が無くなった状態で常にバネ部１−３の滑り止めが腹部と密着（図２左側）していることとなり、ズボンのずり落ちを防止できる。
また、一時的に腹部が凹んだとき、バネ部１−３とバネ部１−４の作用により腹部の凹みと共にバネ部１−３が腹部に密着した状態（図２右側）となり、ズボンのずり落ちを常に防止できることを可能にした。
【作用】
【０００５】  本発明は常時腹部を圧迫した状態でなくても、腹部の一時的な凹みに対し、肉体的な苦痛を伴わず対応でき、かつ、構造も簡単なため安価に製造が可能である。
【実施例】
【０００６】  図３が製作用の実施図であるが、板バネまたはバネ状の樹脂などのバネ性素材を使用し、ズボン押さえ部１−１にズボンを挟むために必要な間隔をとるために山折箇所２箇所を設ける。本体中心部１−２にバネ部１−４と一体にするためのビス止め用穴２箇所を設ける。本体中心部１−２とバネ部１−３を区分する任意の１箇所に曲げ加工を行う谷折箇所を設ける。バネ部１−３と連続するバネ部１−４を区分する任意の２箇所に谷折および山折箇所をそれぞれ設ける。また、バネ部１−４の先端に本体中心部１−２と一体とさせるためのビス止め用穴２−１を２箇所を設ける。
本体中心部１−２、バネ部１−３、バネ部１−４の表面に滑り止め用のゴム材を接着または滑り止め加工を行う。
加工が終了した時点でバネ部１−４と本体中心部１−２のかしめ止め用穴２−１を用いてかしめ止めする。
【考案の効果】
【０００７】  ズボンのずり落ちは腹部が何らかの現象で瞬間的に凹む際にベルトの締め付け効果が一時的になくなるためズボンとベルトの重さでずり落ちることから、本発明はかかる現象に着目し、腹部の凹みとずり落ち防止用器具が常に密着している状態を維持することにより、瞬間的な腹部の凹みがあってもズボンのずり落ちに対して効果的に防止することを可能とした。
【図面の簡単な説明】
【図１】本考案の斜視図である。
【図２】本考案の装着状態を表す右側部断面図である。図２の左図面は正常な装着状態を表し、図２の右図面は腹部が凹んだときの装着状態を表す。
【図３】本考案の実施用図面である。
【符号の説明】
１−１ズボン押さえ部  １−２本体中心部
１−３腹部密着用バネ部  １−４バネ部  ２−１かしめ止め用穴
２−２かしめ  ３腹部  ４ズボン  ５ベルト
【図１】
0003135648.tif 000003
【図２】
0003135648.tif 000004
【図３】
0003135648.tif 000005
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
ズボンをバネ１−１とバネ１−２で挟み、バネ１−２とかしめなどにより固定されるバネ１−３とバネ１−４が腹部の動きに合わせて前後に伸縮することで、表面にゴム状の滑り止め加工が施されたバネ１−３が常に洋服に密着するように一体的に構成されたズボンのずり落ち防止器具。
(57)【要約】      （修正有）【課題】矢の欠陥である曲がり癖の矯正と曲げ剛性を定量的に計り、矢毎に曲がり癖とその矯正難易と、その曲げ剛性の耐久性を計る。さらに、矢を類別して射の再現性向上に役立てる。【解決手段】１．矢の全方位に対する曲がり癖を確認し易い為に軸受け様の半割環支点を採用する。２．中央集中荷重と中央最大撓みの計測とが両立する為に懸垂錘用窓付鉤を採用する。３．なるべく曲げ荷重履歴と成らないよう軽い錘でも微細な撓みが計測可能である為ダイアルゲージを採用する。【選択図】図５
0003135642.tif 000002
【実用新案登録請求の範囲】
【請求項１】
日本弓道に於ける矢の撓み剛性を判断する場合  再現性と客観性とを併せ持つ、所為  力学的根拠に基づき  且つ  簡便・容易な  半割環支点と鉤力点とダイアルゲージを備える  曲げ剛性計測機。
【考案の詳細な説明】
【技術分野】
【０００１】  和洋に関わらず  弓に依り放たれる矢の剛性など力学特性に  矢毎の個体差が不明では、再現性が悪く的中率を損ねる。本考案はその個体差を定量的に計測し類別する工夫である。
【背景技術】
【０００２】  従来  和洋に関わらず矢柄の原材は  天然素材は無論  たとえ合成材で  外形・材質が同一でも  加工所・加工日・使用歴が違えば  その剛性が同一とは保証されない。従って保有する矢個々の剛性を確かめ類別し  その類別の剛性に合わせ狙いを左右に調節せねば的中率は向上しない。【０００３】  保有する矢個々の剛性を確かめるには  熟達した弓道者でも定量的計機が便利であり、まして  一般求道者には矢専用剛性計（のばり計）があれば練習効率は向上する。【０００４】  矢専用剛性計（のばり計）は  矢に履歴を残さぬ  いわば  非破壊検査機が望ましく、その操作も簡便・容易であることが望ましく、又  曲がり癖の検出と矯正も兼ねる事が望ましい。
【考案の開示】
【考案が解決しようとする課題】
【０００５】  矢の曲げ剛性を計るべく支点・力点設定が簡便・容易であるばかりでなく再現性も良く、又  曲がり癖の方位と程度を確認する為  ローリング可能でなければならない。更に力点へ一定加重を施し  その変位量を知る為  感度の高いダイアルゲージを採用する。
【課題を解決するための手段】
【０００６】  支点として図１の如き半割環を用い、力点として図２の如き鉤付懸垂錘を用い、更に力点の上部へ図３の如くダイアルゲージを施す。
【考案の効果】
【０００７】  支点の構造として環状であれば  矢を転がす事で曲がり癖の有無とその方位を確かめ易い。力点が鉤付懸垂錘であれば  矢の所定位置に誤り無く荷重が可能で、その変位量を計るダイアルゲージの接点の妨げにならない。【０００８】更に  曲がり癖がある場合  変位量が上方へ最大に成るよう矢を転がして設え、力点周辺を強く下方へ押し下げて  癖を矯正する。もしも  鉤付懸垂錘の数倍程の加重で塑性変形する様な復元力が無い矢は  射毎に変形が進み再現性が乏しく練習の妨げと成るから、その発見にも役立つ事は  のばり計測同様に重要である。
【考案を実施するための最良の形態】
【０００９】  図４のように  装置の両端に半割環支点を備え、中央に撓変位量測定のダイアルゲージを備え、力点へ懸ける鉤付懸垂錘を備える。
【実施例１】
【００１０】  図５のように  矢をのばり計へ搭載し  矢を転がして曲がり癖の有無と方位・変位量を確認する。
【実施例２】
【００１１】  図６のように  矢を転がして曲がり癖変位量が最大と成る方位を上方へ向け  中央付近を下方へ押し下げ  変位量の変化を確認する。変位量が１ｍｍ以下と成るまで繰り返す。
弱い力１回で０ｍｍやそれを越える様な塑性変形する矢は  再現性が無いから省く。
【実施例３】
【００１２】  図７のように  曲がり癖の無い矢の中央へダイアルゲージをセットし、鉤付懸垂錘を懸ける。撓み（この場合の変位量）を記録し、錘を浮かせ矢を１／４回転させてから撓みを計り記録し、更に３回撓み計測を繰り返して  矢１本の撓み剛性の計測とする。
【産業上の利用可能性】
【００１３】  矢に限らず  細くてしなやかな弾性体を  回転力の伝搬や  幕の展旛に採用する例は多く、その曲がり剛性が重要な要件である場合も多い。それら部材の品質管理に最適である。
【図面の簡単な説明】
【００１４】
【図１】のばり計の両端にあって支点を成す半割環状の軸受け
【図２】のばり計の中央にあって力点を成す鉤付懸垂錘の鉤
【図３】のばり計へ矢を搭載し  曲がり癖の有無・方位を確認している状態
【図４】のばり計へ矢を搭載し  曲がり癖を矯正している状態
【図５】のばり計へ矢を搭載し  撓み剛性を計測している状態
【図１】
0003135642.tif 000003
【図２】
0003135642.tif 000004
【図３】
0003135642.tif 000005
【図４】
0003135642.tif 000006
【図５】
0003135642.tif 000007
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
環を半割りした形状の支点と、ダイアルゲージ接点用窓を備えた鉤状の力点と、ダイアルゲージを、構成要素とした、曲げ剛性計測機。
(57)【要約】      （修正有）【課題】ベランダに給水及び給湯の設備が無い場合は、バケツ等の容器で運ぶ必要がある。そこで、ホースで給水及び給湯をする。【解決手段】浴用シャワーホースに、ホースアダプターのシャワーホース取付部１を接続し、次にホースアダプターの給水湯ホース取付部２に、ベランダまでの給水湯ホースを取り付け、ホースにて給水及び給湯を行なう。【選択図】図１
0003135644.tif 000002
【実用新案登録請求の範囲】
【請求項１】
浴用シャワーに、給水湯ホースを取り付けるためのホースアダプター。
【考案の詳細な説明】
【技術分野】
【０００１】  この考案は、ベランダへ給水及び給湯をするための、ホース接続部品に関する。
【背景技術】
【０００２】  従来、マンション等のベランダには、給水及び給湯の設備が無いところが多い。また、キッチン・洗面所等で、ホースを取り付ける形状の蛇口がほとんど無い。
【考案の開示】
【考案が解決しようとする課題】
【０００３】  ベランダに給水及び給湯の設備がない場合、バケツ等の容器で運ぶ必要がある。そこでこの考案は、ホースで給水及び給湯することを課題とする。
【課題を解決するための手段】
【０００４】  以上の課題を解決するため、浴用シャワーに給水湯ホースを取り付ける考案をしたのがホースアダプターである。
【考案の効果】
【０００５】  ホースアダプターは、取り付け・取り外しが簡単である。ベランダに給水及び給湯の設備を新設することなく、給水湯ホースを用意することで、目的を達成できる。
【考案を実施するための最良の形態】
【０００６】  この考案の一実施形態を示す。
浴用シャワーの、シャワーヘッドを取り外したシャワーホースに、ホースアダプターの１を接続する。（予めホースアダプターの１には、水及び湯もれ防止のためオーリングを取り付ける）次に、ベランダまでの給水湯ホースを、ホースアダプターの２に取り付け、シャワーカランを操作して、給水及び給湯を行なう。
【実施例】
【０００７】  ベランダ掃除用の給水、ベランダで遊ぶ幼児用プールへの給湯など。
【図面の簡単な説明】
【０００８】
【図１】この考案の形状を示した平面図である。
【符号の説明】
【０００９】  １  シャワーホース接続部
２  給水湯ホース取り付け部
【図１】
0003135644.tif 000003
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
一方の端部に、浴用シャワーのシャワーヘッドを取り外したシャワーホースに接続する、雄ねじを有する接続部（１）を備え、他方の端部に、給水湯ホースを取り付ける、円筒状の取り付け部（２）を備えたことを特徴とするホースアダプター。
(57)【要約】【課題】子機を使って電話を掛ける時は何回もボタンを押さないと電話が繋がらない。【解決手段】本考案は、子機本体の表面にロードボタン１０個、セーブボタン、確認ボタン、クリアボタン、■ボタンを付けることにより電話番号がセーブする事が出来る様になり１回ロードボタンを押すだけで電話が繋がる様になる。又、確認・クリア・■ボタンを付けることにより知りたい場所や電話番号のデータを消すことが出来る様になる。【選択図】図１
0003135626.tif 000002
【実用新案登録請求の範囲】
【請求項１】
電話の子機本体の表面の部分にセーブ・ロード・確認・クリア・■ボタンを取り付け電話を掛ける時にボタンを押す回数を減らした手間いらず電話
【考案の詳細な説明】
【技術分野】
【０００１】本考案は、電話の子機本体の表面の部分にセーブ・ロード・確認・クリアボタン・■を付け電話を掛ける時にボタンを押す回数を減らした子機に関するものである。
【背景技術】
【０００２】現在は子機で特許庁に電話を掛ける場合は０３（３５８１）１１０１なので１０回も電話番号を押していた。
【考案の開示】
【考案が解決しようとする課題】
【０００３】子機を使って特許庁に電話を掛ける場合は１０回も数字のボタンを押さないと電話が繋がらない。
【課題を解決するための手段】
【０００４】本考案は、電話の子機本体の表面の部分にセーブ・ロードが出来るボタンを付けることにより前述の問題点を解決している。
【考案の効果】
【０００５】上述の様に、本考案の手間いらず電話はセーブ・ロードが出来るボタンを付けることにより緊急なときとかに早く電話を繋ぐことが出来る様になる。
【考案を実施するための最良の形態】
【０００６】電話の子機本体の表面に電話番号の数字の他にセーブ・（ロードボタンだけ１０ヶ）確認・クリア・■ボタンが付いていて、セーブボタンは電話を掛けた後に［特許庁の場合は０３（３５８１）１１０１］セーブボタンを押すとセーブが出来る様になっている。あとは順番にセーブ
0003135626.tif 000003
のボタンを押すと１番目にセーブされている電話番号［特許庁の場合は０３（３５８１）１１０１］が呼び出され１回ボタンを押すだけで電話が
0003135626.tif 000004
れている電話番号○○○−○○○−○○○○が呼び出され１回ボタンを押すだけで電話が繋がる様になっている。あとはロード１０までのボタンも上で説明した事の繰り返しである。
ロードボタンが１０個付いている理由は電話番号がセーブ出来る数を１０個に決めたから。確認ボタンは確認ボタンを押すと子機の電話の画面にセーブしてある電話番号のデータが１分間位表示される。データが表示されたら■のボタンで見たい所まで移動させて掛けたい電話番号がどこに入っているのか調べる事が出来る。クリアボタンはクリアボタンを押すと子機の電話の画面にセーブしてある電話番号のデータが１分間位表示される。
表示されたら■で消したい部分に合わせもう１度クリアボタンを押すと消える様になっている。
【実施例】
【０００７】以下、添付図面に従って一実施例を説明する。１は電話の子機本体、２は話を聞く所、３は外線ボタン４は、切ボタン、５は電話番号を表示する所、６はロード１〜ロード１０までのボタン、７は話をする所、８はセーブボタン、９は確認ボタン、１０はクリアボタン、１１は内線ボタン、１２は数字と＊♯ボタン、１３は短縮
0003135626.tif 000005
【図面の簡単な説明】
【０００８】
【図１】本考案の手間いらず電話の一実施例を示す正面図である。
【符号の説明】
【０００９】１  電話の子機本体
２  話を聞く所
３  外線ボタン
４  切ボタン
５  電話番号表示画面
６  ロード１〜ロード１０までのボタン
７  話をする所
８  セーブボタン
９  確認ボタン
１０  クリアボタン
１１  内線ボタン
１２  数字と＊♯ボタン
１３  短縮ボタン
１４  ドアホンボタン
0003135626.tif 000006
１６  キャッチボタン
１７  電源入切ボタン
【図１】
0003135626.tif 000007
(57)【要約】【課題】男子立ち姿小用の場合の尿の飛沫等による便器や床の汚れを防止する為と、用便後、陰茎に付着している尿をふき取り、下着等を清潔に保つ事を目的としているものである。【解決手段】トイレットペーパー１を筒状２に成型し、大便後、使用する場合は適宜に切って使用し、男子が立ち姿で小便をする場合は、陰茎から便器３の中まで入る長さに切り、一方の筒の中に陰茎を差し込み、もう一方を便器の中に入れます。尿はトイレットペーパー１の筒状２の中を伝わり便器に入る。この事により尿は全く、飛び散る事が無く、便器や床を汚す事が無くなる。又、小便後、陰茎に付着している尿もそのまま拭き取る事が出来、下着等を清潔に保つ事が出来衛生的である。【選択図】図１
0003135627.tif 000002
【実用新案登録請求の範囲】
【請求項１】
トイレットペーパーを筒状に成型し、大便後使用する場合はそのまま適宜に切って使用し、男子が立ち姿で小便に使用する場合は、陰茎から便器の中までの長さに切り、一方の筒の中に陰茎を差し込み、もう一方を便器の中に入れ排尿をすると尿は筒の中を伝わり便器に入り、尿の飛び散り等による、便器や床の汚れを防止することが出来ることを目的とした筒状トイレットペーパー。
【請求項２】
トイレットペーパーを筒状にしたものを、ロール状にしたものではなく、始めから陰茎から便器までのおおよその長さに切断したものをケース等に収めたもの
【請求項３】
男子小用での尿の飛び散りによる、便器や床等の汚れを防止する目的の為の筒状の形状の水に溶解する物質によるもの
【考案の詳細な説明】
【技術分野】
【０００１】本考案は、トイレットペーパーに関するものである。
【背景技術】
【０００２】男子による、トイレでの小便の場合、ほとんどが立ち姿で用するものである。したがって、時々、便器や、床を汚す場合があり、掃除等が大変である。
【考案の開示】
【考案が解決しようとする課題】
【０００３】通常のトイレットペーパーを筒状にし、適宜の長さに切り、その一方の筒の中に陰茎を差し込み、一方を便器に入れることにより、尿は筒の中を伝わり便器に入る、この事により男子小用による便器や床の汚れを防ぐことを目的とする。
【課題を解決するための手段】
【０００４】本考案は、トイレットペーパーを筒状に成型し、ロールにしたものである。使用する場合、立ち姿の陰茎から便器までの長さに適宜に切り、その一方の筒の中に陰茎を差し込み、一方を便器の中に入れ小便をすると尿は筒の中を伝わり便器に入る、したがって尿はペーパーにガードされる為、便器や床をまったく汚す事が無く、用便者は、気を使う必要がなく安心して用が足せるものである。
【考案の効果】
【０００５】筒状であるが、通常のトイレットペーパーと同様にロールにしてあるため、大便の場合でも適宜に切り使用でき、又、筒状トイレットペーパーを使用して男子が小用をした用便後、陰茎についた尿をそのペーパーで拭き取る事が出来、下着等を汚す事が無くなり、衛生的である。
【考案を実地するための最良の形態】
【０００６】本考案はトイレットペーパー１を、筒状２にし、大便の場合は従来のように適宜に切って使用し、男子立ち姿の小便の場合は、陰茎より便器３までの長さに切り、その一方の筒に陰茎を差し込み、一方を便器３に入れ使用する事で便器３や床の汚れを防ぐことが出来る事を目的とする。
【実地例】
【０００７】トイレットペーパー１を筒状２に成型し、大便後に使用の場合は適宜に切って使用し、男子が立ち姿で小便をする場合は、陰茎より便器３の中まで届く長さに切り、その一方の筒の中に陰茎を差し込み、一方を便器３の中に入れる。そのまま小便をすると、尿はトイレットペーパー１の筒状２の中を伝わり便器３に入る、この事で立ち姿で小便をした場合による尿の飛沫等による、便器３や床の汚れを防止出来る。
【産業上の利用可能性】
【０００８】今まではトイレットペーパーを使用する必要の無い、温水による尻洗浄のシャワートイレ使用者の場合も男子小用による便器や床等の汚れを防ぐため、筒型トイレットペーパーの使用が考えられる。
【図面の簡単な説明】
【０００９】
【図１】筒型トイレットペーパーの斜視図である。
【図２】筒型トイレットペーパーの使用状態図である。
【符号の説明】
【００１０】１      筒型トイレットペーパー
２      筒状
３      便器
【図１】
0003135627.tif 000003
【図２】
0003135627.tif 000004
【手続補正書】
【提出日】平成18年11月9日(2006.11.9)
【手続補正１】
【補正対象書類名】実用新案登録請求の範囲
【補正対象項目名】請求項３
【補正方法】削除
【補正の内容】
【手続補正書】
【提出日】平成19年6月22日(2007.6.22)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーを筒状に成型し、大便後使用する場合はそのまま適宜に切って使用し、男子が立ち姿で小便に使用する場合は、陰茎から便器の中までの長さに切り、一方の筒の中に陰茎を差込み、もう一方を便器の中に入れ排尿をすると尿は筒の中を伝わり便器に入り、尿の飛び散り等による、便器や床の汚れを防止する事を目的とした筒状トイレットペーパー。
【請求項２】
トイレットペーパーを筒状にしたものを、ロール状にしたものではなく、始めから陰茎から便器までのおおよその長さに切断したものをケース等に収めたもの。
(57)【要約】      （修正有）【課題】従来の両開き引き戸に於いて、戸を開閉するのに、引き戸ＡとＢをそれぞれ開閉しなければ開けられない。【解決手段】引き戸Ａ：Ｂそれぞれの後方に滑車ＡＡ及びＢＢを取り付け、引き戸Ｂの前から滑車ＡＡを通し引き戸Ａの後とを結ぶ事により引き戸Ｂを開けると引き戸Ａも開き、引き戸Ａを閉めると引き戸Ｂが閉まる。引き戸Ａと同様に引き戸Ｂにも滑車ＢＢを通し、引き戸Ａとを結ぶとどちらの戸を開閉しても反対側の戸を開閉できる。【選択図】図１
0003135628.tif 000002
【実用新案登録請求の範囲】
【考案の詳細な説明】
【考案の開示】
【考案の解決しようとする課題】
【０００１】  両開き引き戸に於いて片方の引き戸を開閉しても、反対側の引き戸を開閉できない。
【課題を解決する為の手段】
【０００２】  両開き引き戸の後方に滑車を付け、滑車を通し、両開き引き戸を繋ぐ。
【思考の効果】
【０００３】  片方の引き戸を開閉すると、反対側の引き戸も開閉する。
【図面の簡単な説明】
【図１】引き戸Ａ，Ｂの後方に滑車ＡＡ，ＢＢを取り付け滑車を通して引き戸Ａ、Ｂを繋ぐ
【符号の説明】
１  引き戸Ａ
２  引き戸Ｂ、
３  滑車ＡＡ
４  滑車ＢＢ
【図１】
0003135628.tif 000003
【手続補正書】
【提出日】平成18年8月23日(2006.8.23)
【手続補正１】
【補正対象書類名】実用新案登録請求の範囲
【補正対象項目名】全文
【補正方法】追加
【補正の内容】
【実用新案登録請求の範囲】
【請求項１】
両開き引き戸に於いて、引き戸の後ろに滑車を取り付け片方の引き戸を開閉すると反対側の引き戸も開閉する。
【手続補正書】
【提出日】平成18年10月25日(2006.10.25)
【手続補正１】
【補正対象書類名】実用新案登録請求の範囲
【補正対象項目名】全文
【補正の内容】
【実用新案登録請求の範囲】
【請求項１】
物置、倉庫、家具及び人、車等の出入り口の両開き引き戸に当装置を取り付け、片方の扉を開閉する事により扉両方が開閉する。
【手続補正書】
【提出日】平成19年2月6日(2007.2.6)
【手続補正１】
【補正対象書類名】実用新案登録請求の範囲
【補正対象項目名】全文
【補正方法】変更
【補正の内容】
【実用新案登録請求の範囲】
【請求項１】
物置、倉庫、家具及び人、車等の出入り口の両開き引き戸に当装置を取り付け、片方の扉を開閉する事により扉両方が開閉する、両開き引き戸。
【手続補正書】
【提出日】平成19年6月14日(2007.6.14)
【手続補正１】
【補正対象書類名】実用新案登録請求の範囲
【補正対象項目名】全文
【補正方法】変更
【補正の内容】
【実用新案登録請求の範囲】
【請求項１】
両開き引き戸  扉Ａ及び扉Ｂ  の後方に滑車  ＡＡ及びＢＢ  を取り付け、ロープ又はワイヤーで扉Ａの後ろと扉Ｂの前を扉Ａの後方の滑車ＡＡを通して結び、扉Ａの前方と扉Ｂの後方を扉Ｂの後方の滑車ＢＢを通して結ぶ装置。
(57)【要約】      （修正有）【課題】潜水艦が水面に浮上したときの重心と浮力の関係を参考とする釣船等の転覆自動復元装置を提供する。【解決手段】船の甲板より上の部分で、なるべく、船の運行に支障のない場所を選んで、発泡スチロール３の様な軽くて強い浮力を持つ材料を利用して船の転覆を復元する。【選択図】図２
0003135630.tif 000002
【実用新案登録請求の範囲】
普通の釣船などは事故や横波などで転覆したとき、そのまま元に戻れない構造となっている、本案では船の水面より上の部分のブリッジの壁面等に、軽くて、浮力の強大な発泡スチロール等の厚い板を，薄いアルミ版や、丈夫な布テープ等を使って固定することによって、船が転覆した状態で、船の浮心が重心よりも下の位置にくるように設計して、仮に、船が転覆しても十数秒のうちに回転し浮上して乗組員に死者などがでない  構造に改良したもの。
【考案の詳細な説明】
【技術分野】  造船技術
【背景技術】  潜水艦が水面に浮上したときの重心と浮心の関係を参考とする。
【考案が解決しようとする課題】
一般に船は事故などのたのに９０度以上傾いた場合沈没するか、又は転覆したままとなり、しばしば人命が失われる。これは不可抗力として、設計上の問題点とはなっていないが、これを復元させることは可能である。
【課題を解決するための手段】
本案では船の甲板より上の部分で、なるべく  船の運行に支障のない場所を選んで、発泡スチロールのような軽くて強い浮力を持つ材料を利用して、船が転覆しても、すぐに復元するようにしたもの。
【考案の効果】
船が転覆しても、自力で復元して、人命救助に役立つ
【考案を実施するための最良の形態】  小型の釣船など
【実施例】  実施例はないけれど、潜水艦が参考となる、潜水艦は常に水中にあって常にその浮力の中心点が船の重心点よりも上にあり、仮に転覆したとしても、すぐに１８０度回転して復元する。
又２０分の１のボートの模型、図１参照、による実験では、２秒間で。水没のまま復元することが確かめられた。
【産業上の利用可能性】中小の造船所で改造できる。
【図面の簡単な説明】
【図１】  本考案の中でブリッジの付いていない小型の釣船に、アルミパイプ製の傘型の浮力復元装置を取り付けた場合の立体図。
【図２】  図１の浮力復元装置の右舷の水平断面図。
【図３】  ブリッジのついた大型の釣船の側面図
【符号の説明】
１  小型の釣船
２  発泡スチロールの囲い、斜線の壁で示す。
３  浮力材の傘型を、船体に取り付ける為の太いアルミパイプ
４  釣船の右舷
５  大型の釣船の本体
６  ブリッジの窓の周りの壁の滴所に浮力材を取り付ける。
７  水中からの浮揚回転力を助ける為に舷側の内外面に取り付けた浮力材
【図１】
0003135630.tif 000003
【図２】
0003135630.tif 000004
【図３】
0003135630.tif 000005
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
小型の釣船等は大きな横波や衝突事故等によって転覆した場合、元に戻れないことが多い本案では、この欠点を無くするため、船の甲板より上の部分で運行に差し支えの無い場所を選んで発泡スチロールのような非状に軽くて強い浮力を持つ材料を、薄いアルミ版又は木版などで固定して、その浮力によって、    元の姿にかえることが出来るようにした釣船などの転覆自動復元装置。
【手続補正２】
【補正対象書類名】明細書
【補正対象項目名】全文
【補正方法】変更
【補正の内容】
【考案の詳細な説明】
【技術分野】  造船技術
【背景技術】  潜水艦が水面に浮上したときの重心と浮心の関係を参考とする。
【考案が解決しようとする課題】
一般に船は事故などのたのに９０度以上傾いた場合沈没するか、又は転覆したままとなり、しばしば人命が失われる。これは不可抗力として、設計上の問題点とはなっていないが、これを復元させることは可能である。
【課題を解決するための手段】
本案では船の甲板より上の部分で、なるべく  船の運行に支障のない場所を選んで、発泡スチロールのような軽くて強い浮力を持つ材料を利用して、船が転覆しても、すぐに復元するようにしたもの。
【考案の効果】
船が転覆しても、自力で復元して、人命救助に役立つ
【考案を実施するための最良の形態】  小型の釣船など
【実施例】  実施例はないけれど、潜水艦が参考となる、潜水艦は常に水中にあって常にその浮力の中心点が船の重心点よりも上にあり、仮に転覆したとしても、すぐに１８０度回転して復元する。
又２０分の１のボートの模型、図１参照、による実験では、２秒間で。水没のまま復元することが確かめられた。
【産業上の利用可能性】中小の造船所で改造できる。
【図面の簡単な説明】
【図１】  本考案の中でボートの形の小型の船の場合は４センチ程のアルミパイプ４本で傘の形を作りこれに厚さ２０センチの発泡スチロールの平板を取り付けて布のガムテープを巻き付けて包みこみ防水塗料で固めた屋根の形の浮力復元装置、１をとりつける、
【図２】  ボートの上に取り付けた浮力装置の断面図  １、はアルミパイプ、２、は発泡スチロール、３、は布テープ  ４、は小型のボートの本体
【図３】  ５、は排水量１５トン程の釣船の本体  ６、は船のブリッジの外週に取りで付けた浮力材、７  は船の舷の内側側に張り付けた浮力材、仮に  この浮力版を、舷の外側に取り付けることが出来た場合、強い復元力が得られると共に、接岸の場合の緩衝作用として役に立つ、
【図４】  ８は海水面を示す、ボートが約８０度傾いて水没した状態で  ９、１０の、の矢印は２００から３００キログラムの復元力が働く様を示す略図
【図５】  ８は海水面を示す、釣船が約８０度傾いて水没した状態で  １１、１２、１３、の矢印は合計約２トンの浮力が復元力として作用する様を示す略図。
【符号の説明】
１  小型の釣船
２  発泡スチロールの囲い、斜線の壁で示す。
３  浮力材の傘型を、船体に取り付ける為の太いアルミパイプ
４  釣船の右舷
５  大型の釣船の本体
６  ブリッジの窓の周りの壁の滴所に浮力材を取り付ける。
７  水中からの浮揚回転力を助ける為に舷側の内外面に取り付けた浮力材
【手続補正３】
【補正対象書類名】図面
【補正対象項目名】全図
【補正方法】変更
【補正の内容】
【図１】
0003135630.tif 000006
【図２】
0003135630.tif 000007
【図３】
0003135630.tif 000008
【図４】
0003135630.tif 000009
【図５】
0003135630.tif 000010
【手続補正書】
【提出日】平成19年5月22日(2007.5.22)
【手続補正１】
【補正対象書類名】実用新案登録請求の範囲
【補正対象項目名】全文
【補正方法】変更
【補正の内容】
【実用新案登録請求の範囲】
【請求項１】
船の甲板より上の部分で船の運航に差し支えの無い場所を選んで発泡スチロールのような非常に軽くて強い浮力をもつ材料を、薄いアルミ版又は木版などで主として、船の舷側及びブリッジの周り等に固定した浮力装置を主体とした浮力復元装置が取り付けられた船体。
(57)【要約】      （修正有）【課題】仰臥や横臥で両手を自由にしたまま使う書見台。【解決手段】金属または、強度の高いプラスチック等の素材を円弧状に加工しメインフレーム兼ガイドＡを作る。対にしたメインフレーム兼ガイドに、ひと回り細い素材で橋渡しをし、支持部のガイドＣを取り付ける。強度と弾性のある細めの素材から成る円弧状の書物支持部Ｂをメインフレーム兼ガイドＡの形状に合わせる形で支持部のガイドＣに取り付ける。多様な状況に合わせる為には本体の幅及び高さを調整する仕組みを組み入れる。また、摩擦係数が高く弾性のあるゴム等の素材で適所に滑り止めを付ける。【選択図】図１
0003135696.tif 000002
【実用新案登録請求の範囲】
【請求項１】
仰臥及び横臥で使える書見台において、書物を支える部位を対にした円弧状の曲線に配置した書見台。
【考案の詳細な説明】
【技術分野】
【０００１】本考案は仰臥または横臥したまま両手を自由にした状態で書物が読める書見台に関するものである。
【背景技術】
【０００２】従来、支持面の前に書物を固定し、かつ数カ所でページを押さえるしくみの書見台や透明板の上に書物を乗せ下から見上げる仕様の書見台などがあった。
【考案の開示】
【考案が解決しようとする課題】
【０００３】しかしながら、従来の技術では、書物にかかる重力を受け止めるのに特別な固定具が必要であり更にページを送る度に何カ所ものページ押さえ具の着脱を繰り返す手間がかかるなど難点があった。
また、書物の重みが掛かった際不安定になる場合があり更に広い新聞を大きく広げたままにするのは困難な事などの難点があった。
【課題を解決するための手段】
【０００４】本考案は、書物を支える部位を地上側に、対にした円弧状の曲線に配置する事により上記課題を解決するものである。
【考案の効果】
【０００５】請求項１の考案によれば、書物の落下する力を地上側から円弧状の支えが受ける事で、書物は必ずしも固定具を必要とする事無く、開いた状態で安定する。
更にページ押さえの着脱を繰り返す手間が無く、体への負担が極めて小さくなった。
又、円弧状で支持域が広い為、新聞を綺麗に開いた状態で保つ事が出来る。
【考案を実施するための最良の形態】
【０００６】図面を参照して本考案の実施の形態を説明する。
金属または、強度の高いプラスチック等の素材を円弧状に加工しフレーム兼ガイド（Ａ）を作る。ひと回り細い素材で、対にした（Ａ）に橋渡しをし（Ｃ）を取り付ける。
強度と弾性のある細めの素材（Ｂ）を（Ａ）の形状に合わせる形で（Ｃ）に取り付ける。
多様な状況に合わせる為には本体の幅及び高さを調整する仕組みを組み入れる。
また、摩擦係数が高く弾性のあるゴム等の素材で適所に滑り止めを付ける。
仰臥で読む時は、先ず書物の幅に（Ａ）を合わせ、支持部（Ｂ）に書物の上下余白が掛かる様に（Ｃ）の位置を調整する。書物を（Ｂ）に沿わせる様に開いて乗せる。
横臥の時は、ひもを付けたクリップ等で書物の上端を留め、書見台へ付ける。
［図３］での（Ｄ１）と（Ｄ２）の幅により（Ａ）が書物のガイトとなるものである。
【実施例】
【０００７】支柱を別仕様に変える事で座位や立位で使う。
【産業上の利用可能性】
【図面の簡単な説明】
【図１】書見台の斜視図である。
【図２】Ｃを中心とした拡大図である。
【図３】切断面Ｅ１−Ｅ２からＣ側を見た図である。
【符号の説明】
Ａ  メインフレーム兼ガイド
Ｂ  円弧状の書物支持部
Ｃ  支持部のガイド
【図１】
0003135696.tif 000003
【図２】
0003135696.tif 000004
【図３】
0003135696.tif 000005